(57)【要約】  筐体と、前記筐体に結合した蓋と、前記筐体に入れられたかごを備え、前記かごが内部空間を定める側壁と、前記内部空間の少なくとも一部に延び前記かご内で左右方向及び前後方向の少なくとも１つに少なくとも１つのテスト素子を支持するように構成された保持具を含む、再封止可能容器。【選択図】図１
2019507060.tif 000002
【特許請求の範囲】
【請求項１】
筐体と、前記筐体に結合した蓋と、前記筐体に入れられたかごを備え、前記かごが内部空間を定める側壁と、前記内部空間の少なくとも一部に延び前記かご内で左右方向及び前後方向の少なくとも１つに少なくとも１つのテスト素子を支持するように構成された保持具を含む、再封止可能容器。
【請求項２】
前記保持具が複数の指状物を含む、請求項１に記載の再封止可能容器。
【請求項３】
前記指状物が分割線に延びる、請求項２に記載の再封止可能容器。
【請求項４】
前記指状物が実質的に前記内部空間全体を覆う、請求項２に記載の再封止可能容器。
【請求項５】
前記保持具が単一のピースとして形成され、前記指状物が前記単一のピースから切り出された、請求項２に記載の再封止可能容器。
【請求項６】
個々の指状物が前記テスト素子により屈折するように構成された、請求項２に記載の再封止可能容器。
【請求項７】
前記保持具が複数のセグメントに切り込まれたワイパーを含む、請求項１に記載の再封止可能容器。
【請求項８】
各セグメントが複数のテスト素子を支持するように構成された、請求項７に記載の再封止可能容器。
【請求項９】
各セグメントが前記テスト素子により屈折するように構成された、請求項７に記載の再封止可能容器。
【請求項１０】
未使用のセグメントが、隣接したセグメントにより支持された前記テスト素子に前記前後の支持を与えるように構成された、請求項７に記載の再封止可能容器。
【請求項１１】
前記保持具が少なくとも４つのセグメントを含む、請求項７に記載の再封止可能容器。
【請求項１２】
前記ワイパーが前記テスト素子に空気の流れを与えるように構成された、請求項７に記載の再封止可能容器。
【請求項１３】
前記保持具が環状部材を含む、請求項１に記載の再封止可能容器。
【請求項１４】
前記保持具が実質的に逆Ｕ字型の断面形状を定める、請求項１に記載の再封止可能容器。
【請求項１５】
前記保持具が、前記テスト素子に前後の支持を与えるように構成された端部ばねを含む、請求項１に記載の再封止可能容器。
【請求項１６】
前記端部ばねがリビングばねである、請求項１５に記載の再封止可能容器。
【請求項１７】
前記保持具が単一のピースから形成され、前記端部ばねが前記単一のピースから切り出された、請求項１５に記載の再封止可能容器。
【請求項１８】
前記保持具が前記かごに付着した、請求項１に記載の再封止可能容器。
【請求項１９】
前記保持具が前記かごに圧入された、請求項１に記載の再封止可能容器。
【請求項２０】
前記保持具が軟質プラスチック、軟質剛毛、軟質ゴム、及び薄い金属の少なくとも１つから構成される、請求項１に記載の再封止可能容器。
【請求項２１】
再封止可能容器に用いるかごであって、前記かごが内部空間を定める側壁と、少なくとも１つのセグメントを含む保持具を備え、前記セグメントは第１の位置と第２の位置の間で屈折可能であり、前記第１の位置の時に前記セグメントはテスト素子に左右の支持を与えるように構成され、前記第２の位置の時に前記セグメントは前記テスト素子に前後の支持を与えるように構成される、かご。
【発明の詳細な説明】
【技術分野】
【０００１】
本開示は一般に、例えば試験片などのテスト素子が最初の補助容器から取り除かれる際に倒れないようにするテスト素子保持用システムに関する。本開示はまた、テスト素子を含む製品の製造を改善するシステム及び方法を提供する。
【背景技術】
【０００２】
関連出願の相互参照
本出願は、２０１５年１２月８日に出願された「テスト素子保持用仕切り」と題する米国特許出願第６２／２６４３５１号明細書に基づき、その優先権を主張し、その内容を参照により本明細書に援用する。
【０００３】
容器は、例えば、テスト素子、錠剤、カプセル、粒状物質、液体、又は他の物体又は物質を収容し、湿気の侵入及び／又は放出を制御するために用いられうる。
【０００４】
先行技術システムでは、多数のテスト素子が取り除かれる、又は非標準的に多数のテスト素子が容器に置かれる時の様々なテスト素子の裏付けがなされていない。これらの先行技術システムにおいて、複数のテスト素子保持具（かご）が容器内の異なるテスト素子構成を支持するのに必要である。さらに、先行技術システムでは多種多様のテスト素子と共に用いられうる単一の保持具を提供していない。
【０００５】
ユーザに多数の異なるテスト素子又は他の診断材料を保持するための単一の保持具を使用させ、テスト素子を容器に挿入する能力を改善し、テスト素子を直立及び都合よくつかめる位置に維持するシステム及び方法が必要である。
【０００６】
２００９年５月１５日に出願された米国特許出願第１２／９９２７４９号、「非円形シールを有するバイアル」と題する米国特許出願公開第２０１１／０１２７２６９号、「可換テスト素子保持具」と題する国際出願ＰＣＴ／ＵＳ２０１５／０３３５２１号明細書、「バイオセンサテスト素子用貯蔵容器」と題する米国特許出願公開第２０１３／０１３４１５９号、及び「容器」と題する米国特許第Ｄ６９８４５９号明細書が本開示の関連背景を提供する。
【発明の概要】
【０００７】
本開示は容器を提供する。容器は湿密かつ再封止可能であってもよい。容器は筐体と、筐体に結合した蓋と、筐体に入れられたかごを含んでもよく、かごが内部空間を定める側壁を含む。容器はまた内部開口部の少なくとも一部に延びる保持具を含んでもよい。保持具は保持具内で左右方向及び前後方向の少なくとも１つにテスト素子を支持するように構成されてもよい。
本開示は、図面に示される好ましい構成に基づき以下でさらに明らかにされる。対応する参照文字は、図面全般にわたって対応する部分を示す。
【図面の簡単な説明】
【０００８】
【図１】図１は、開放位置でのキャップを有する容器の絵図である。
【図２】図２は、保持具が取り除かれた、図１の容器から取り除かれたかごの上面図である。
【図３】図３は、保持具が定位置にある、図２のかごの上面図である。
【図４】図４は、図１の線４−４に沿った図２のかごの断面図である。
【図５】図５は、図２のかごに類似した他のかごを示す別の断面図である。
【図６】図６は、他のかごの絵図である。
【図７】図７は、保持具が取り除かれた、図６のかごの上面図である。
【図８】図８は、保持具が定位置にある、図６のかごの上面図である。
【図９】図９は、図６の線９−９に沿った図６のかごの断面図である。
【図１０】図１０は、他の保持具を示す図６のかごの上面図である。
【図１１】図１１は、他のかごの絵図である。
【図１２】図１２は、保持具が定位置にある、図１１のかごの上面図である。
【図１３】図１３は、図１１のかごの切り取り図である。
【図１４】図１４は、他のかごの絵図である。
【図１５】図１５は、保持具が定位置にある、図１４のかごの上面図である。
【図１６】図１６は、図１５の円１６−１６内の図１４のかごの詳細図である。
【図１７】図１７は、保持具が定位置にある、他のかごの上面図である。
【発明を実施するための形態】
【０００９】
発明概念は様々な変形及び代替形態を受けやすいが、その好ましい実施形態は図面に例として示され、本明細書で詳しく説明される。しかしながら、後に続く好ましい実施形態の説明が発明概念を開示された特定の形態に限定することを意図するものではなく、それどころか、意図は本明細書で説明される実施形態及び以下の請求項により定義されるその精神と範囲に含まれる全ての利点、効果、特徴及び目的をカバーすることを理解するべきである。したがって、発明概念の範囲を解釈するため、本明細書で説明される実施形態及び以下の請求項を参照すべきである。そのため、本明細書で説明される実施形態が他の問題を解決するのに有効な利点、効果、特徴及び目的を有してもよいことに留意すべきである。
【００１０】
以下の参照文字が図面で用いられる。
【００１１】
【表１】
2019507060.tif 000003
【００１２】
詳細な説明
本開示の原理を理解するのを促す目的で、次に、図面に示された構成を参照し、具体的な用語を使用してその構成を説明する。しかしながら、本開示の範囲が限定されることを意図するものではないことが理解されよう。本開示が関連する当業者であれば通常思いつくと考えられるように、例示した装置における変更及び変形、及びそこで例示された本開示の原理のさらなる応用が保護されることが望まれる。そのような代替構成は、当業者に理解されるであろう本明細書で述べられる構成にある程度の適応を必要とする。
【００１３】
本明細書では具体的な用語が用いられているが、それらは一般的かつ記述的な意味で用いられているだけであり、限定する目的で用いられているのではない。
【００１４】
さらに、別途定義がない限り、本明細書で用いられる全ての技術的かつ科学的用語は、本開示が関連する当業者によって一般的に理解されるものと同一の意味を有する。本明細書で説明されるものに類似する、又は同等である方法及び物質が保持具、システム、及び方法の実践又は試験において用いられうるが、好適な方法及び物質は本明細書で説明される。
【００１５】
さらに、不定冠詞「ａ」又は「ａｎ」による要素の言及は、文脈が明らかに１つ及び唯一の要素があることを要求しない限り、複数の要素が存在する可能性を排除しない。したがって、不定冠詞「ａ」又は「ａｎ」は通常、「少なくとも１つ」を意味する。同様に、用語「有する」、「備える」又は「含む」又はそれらのあらゆる任意の文法的変更は、非排他的な様式で用いられる。したがって、これらの用語は、この文脈で述べられる本質にこれらの用語により導入される特徴の他にはさらなる特徴が存在しない状況、及び１つ以上のさらなる特徴が存在する状況の両方を指すことができる。例えば、表現「ＡはＢを有する」、「ＡはＢを備える」、及び「ＡはＢを含む」は、Ｂの他には他の要素がＡに存在しない状況（つまり、Ａが唯一かつ排他的にＢから成る状況）、又はＢの他に１つ以上のさらなる要素、例えば要素Ｃ、要素Ｃ及びＤ、又はよりさらなる要素等、がＡに存在する状況の両方を指すことができる。
【００１６】
概要
本明細書で設けられる貯蔵容器及び挿入物／かごは、様々な用途において有用である。例えば、容器及びかごは複数の垂直に配向したテスト素子を保持するように用いることができる。かごは、例えばテスト素子の面と摩擦でかみ合う保持用仕切りを含むため、テスト素子が残っていない場合はすぐに取り除くことができる。有利には、かごは、同じかごの中の同じ又は異なる大きさ／形のテスト素子だけでなく、同じ又は異なる数のテスト素子とかみ合うように用いることができる。
【００１７】
テスト素子保持用仕切り及びそれを含む容器用かご
図１は、筐体２１、内部空間２８を有する本体又はかご２４、本体封止面３２、蓋３６、及び蓋封止面４０を含むバイアル又は容器２０を示す。内部空間２８につながるように乾燥剤を配置してもよい。図２を参照すると、かご２４の内部空間２８は、第１の端壁４４、第２の端壁４８、及び第１の端壁４４と第２の端壁４８の間に延びる床５２及び側壁５６により定められる。凹部６０がかご２４の上面６２に形成される。
【００１８】
図３は、かご２４の凹部６０にかみ合う膜又は保持具６４を示す。保持具６４は、分割線７２の対向側に配置された複数のセグメント又は指状物６８を含む。端部ばね７６を第１の端壁４４及び第２の端壁４８に隣接して配置してもよい。
【００１９】
図３に示される好ましい保持具６４は、単一のかご２４及びダイ、レーザ、又は他の適切なプロセスでカットしてもよい指状物６８、分割線７２、及び端部ばね７６により作られる。図で示した非限定的な例において、保持具６４は凹部６０にかみ合いしっかりと定位置に保持するように形作られる。１つの構成において、保持具６４は凹部６０に圧入配置により保持されている。他の構成において、接着剤を用いてもよい。さらに他の構成において、保持具６４はばねクリップ又はかご２４の他の物理的特性により凹部６０内に保持されてもよい。保持具６４は、例えば、軟質プラスチック、軟質ゴム、又は薄い金属で作られてもよい。
【００２０】
図４及び図５は、挿入物２４の内部空間２８の別の形状を示す。図４及び図５の構成において、床５２は約５ミリメートル（５ｍｍ）の幅を定め、側壁５６間の最大幅は約７ミリメートル（７ｍｍ）であり、凹部６０の最大幅は約８ミリメートル（８ｍｍ）である。しかしながら、当業者は保持される特定の物体に寸法を適合することができるため、本実施形態に関連して記載された寸法は限定することを意図しない。図４に示す凹部６０は比較的深く比較的大きな傾斜面を定める一方で、図５に示す凹部６０は比較的小さい傾斜面及び側壁５６に隣接する比較的大きなショルダーを有する。
【００２１】
本明細書で用いられる際、「約」は、規定された濃度、長さ、幅、高さ、角度、重量、分子量、ｐＨ、配列同一性、時間枠、温度、又は体積を含むがこれに限定されるものではない数値の統計的に意味のある範囲内を意味する。そのような数値又は範囲は、与えられた値又は範囲の１桁以内、典型的には２０％以内、より典型的には１０％以内、さらにより典型的には５％以内でありうる。「約」に包まれる許容偏差は研究対象の特定のシステムによって決まり、当業者によって容易に評価されうる。
【００２２】
動作中、テスト素子８０が側壁５６及び床５２の一方に接触するまで指状物６８が内部空間２８に向けて内側に屈折するように、指状物６８を超えてテスト素子８０を押すことにより、テスト素子８０を容器２０に入れてもよい。テスト素子８０が容器２０に挿入された状態で、指状物６８はテスト素子８０の両端に力を及ぼしテスト素子８０をまっすぐに保持する。さらに、指状物６８が分かれているため、テスト素子８０に接触していない指状物６８は屈折せず分割線７２に向けて延び続ける。延びたままの指状物６８は、第１の端壁４４と第２の端壁４８の間の方向においてテスト素子８０に前後の支持を与える。さらに、万一テスト素子８０が第１の端壁４４と第２の端壁４８の一方に隣接して容器２０に挿入された場合、端部ばね７６は前後の力を与えテスト素子８０をまっすぐに維持する。指状物６８による左右の荷重及び指状物６８及び／又は端部ばね７６による前後の支持の組み合わせは、機械で簡単につかめる又はかみ合うようにテスト素子８０を直立位置に保持又は維持する。
【００２３】
例えば、ユーザは２０個のテスト素子８０を容器２０に挿入してもよい。第１の端壁４４に隣接するテスト素子８０は、そのテスト素子８０に隣接する指状物６８及び端部ばね７６により支持される一方で、第２の端壁４８に最も近いテスト素子８０は、隣接する指状物６８により左右に、第２の端壁４８に直接向かう指状物により前後に支持される。第２の端壁４８に最も近い側からテスト素子８０が取り除かれるにつれ、指状物６８は屈折位置から戻り残ったテスト素子８０を支持する。このように、容器２０に残っている一連のテスト素子８０は常に左右及び前後の両方に支持されている。さらに、指状物６８及び端部ばね７６は、変形することなく異なる幅及び厚さのテスト素子８０を許容する。
【００２４】
図６に戻すと、上述したかご２４と実質的に類似した他のかご８４が示され、類似の参照番号が一連のシングルプライムで付されている。図７を参照すると、かご８４は約５ミリメートル（５ｍｍ）の幅を定める床５２′を含み、側壁５６′間の最大幅は約６．５ミリメートル（６．５ｍｍ）であり、凹部６０′の最大幅は約８ミリメートル（８ｍｍ）である。しかしながら、当業者は保持される特定の物体に寸法を適合することができるため、本実施形態に関連して記載された寸法は限定することを意図しない。凹部６０′は傾斜面及び側壁５６′に実質的に隣接して位置するチャネル８８により定められる。特に、これらの測定は例であり、限定されるものではない。
【００２５】
図８は、チャネル８８にかみ合う膜又は保持具９２を示す。保持具８８は、例えば、軟質プラスチック、軟質ゴム、又は薄い金属で作られた環状部材である。保持具９２は実質的に逆Ｕ字型の断面形状を定める（図９参照）。いくつかの構成において、上述した指状物６８と同じような働きをする指状物又はセグメントが形成されるように、保持具９２はＵ字型の断面形状に切り込まれたスリットを含む。保持具８８の側壁５６′に沿って配置された部分はテスト素子８０に左右の支持を与え、第１の端壁４４′と第２の端壁４８′に沿って配置された部分はテスト素子８０に前後の支持を与える。スリット／切り込みを含んでも含まなくても、一連のテスト素子８０の最後のテスト素子８０に隣接した保持具９２の部分が前後方向に支持を与えることができるよう保持具９２は屈折することができる。このように、保持具９２は左右及び前後方向にテスト素子８０を支持するように機能する。
【００２６】
図１０は、上述したかご８４と用いることができる他の保持具９６を示す。環状の保持具である代わりに連結していない２つの実質的に線状の側面セグメント１００で作られていることを除いて、保持具９６は上述した保持具９２と実質的に類似している。それに応じて、スリット／切り込みを含んでも含まなくても、保持具９２は端部ばねを備えず、全ての前後の支持は側面セグメント１００により与えられる。
【００２７】
図１１及び図１３は、上述したかご２４と実質的に類似した他のかご１０４を示し、類似の参照番号が一連のダブルプライムで付されている。かご１０４は、第１の端壁４４″と第２の端壁４８″に隣接する上面６２″に切り込むチャネル１０８を含む。端部ばね１１２はチャネル１０８とかみ合い、チャネル１０８の一方に圧入される大きさに合わせた取付け部１１６、リビングばね部１２０、及びテスト素子８０を押すように配置されたプレス部１２４を含む。図で示した取付け部１１６及びリビングばね部１２０は約４ミリメートル（４ｍｍ）の幅を有してもよく、リビングばね部１２０は充分に延びた位置（図１２参照）においてプレス部１２４が内部空間２８″の中央部に集まるような大きさにしてもよい。
【００２８】
動作中、端部ばね１１２は、テスト素子８０に左右の支持を実質的に与えない。それどころか、端部ばねは、前後の支持のみを介してテスト素子８０をまっすぐに保持する。いくつかの構成において、端部ばね１１２は、上で述べたような他の保持具と組み合わせてもよい。例えば、保持具９６と端部ばね１１２を効果的に組み合わせてもよい。
【００２９】
図１４から図１６は、上で述べたようなかご２４にかみ合う保持具１２８を示す。保持具１２８は例えば、それぞれ４つのセグメント、第１のセグメント１３２ａ、第２のセグメント１３２ｂ、第３のセグメント１３２ｃ、及び第４のセグメント１３２ｄ、に分かれた２つのワイパー１３２を含む。例えば、４つのセグメントは、第１の端壁４４に隣接する第１のセグメント１３２ａにおいては１０個のテスト素子８０、第２のセグメント１３２ｂにおいては１５個のテスト素子８０、第３のセグメント１３２ｃにおいては５個のテスト素子８０、そして第２の端壁４８に隣接する第４のセグメント１３２ｄにおいては１５から２０個のテスト素子８０に相当する大きさに合わせられる。しかしながら、保持具１２８は開口部の距離を覆うのに充分長い単一のワイパーを含むことができると考えられる。しかしながら、上述した他の保持具と類似したどの例においても、未使用のワイパー１３２の部分は残ったテスト素子８０へ支持を与える支持物としての働きをする。図１６は、ワイパー１３２の未使用の第２のセグメント１３２ｂがどのように前後の支持を残ったテスト素子８０に与えるかを詳しく示す。他の構成において、その部分は間隔を置いても異なった大きさにしてもよい。さらに、要望通り、ワイパー１３２は内部空間２８をはるかに超えて延びてもよいし、内部空間２８をはるかに超えて延びていなくてもよい。
【００３０】
図１７は、テスト素子８０によりそれぞれ個別に屈折可能な複数の剛毛を含む保持具１３６を示す。剛毛は、テスト素子８０が容器２０に挿入されると内部空間２８に屈折する又はかがみこむように、そしてテスト素子８０が取り除かれた際に飛び上がるように配置される。剛毛はまた、前後の支持を約１から約５０個のテスト素子８０に与える。
【００３１】
上記構成のあらゆる側面は、有用であり本開示の範囲内と考えられる組み合わせに至るよう組み合わせてもよい。
【００３２】
本開示の側面は、容器に置かれるテスト素子又は片の複数の構成（例えば、片の数）を許容する単一のかご挿入物を提供する。また、本開示の側面は、他の片が引き抜かれた時であってもテスト素子又は片を容器内でまっすぐに維持する。テスト素子又は片の保持用保持具又は仕切りは、同じ容器を用いるための操作を可能にすることで、機械が構成間をすぐに切り替えるようにする。支えとなる支持を有する片の保持は、複数の試験片の構成が容器に挿入されることを可能にする。試験片が取り除かれると、残っている片は軟質な側面／後面の膜又は保持具に支持される。試験片を容器内で倒れるようにすることなく試験片が保持される。保持具セグメントは、要望通り、異なる増分値（例えば、１片の片未満の厚さ又は容器の開口部の長さまで）で作ることができる。保持具セグメントは、側壁からの距離を等しく分割することができ、又は側壁からの長さ（オフセット）を変えることができる。保持具セグメントの上面形状は、（限定されるものではないが）円形、四角形、又は角度があってもよい。保持具セグメントの側面及び前縁形状は、（限定されるものではないが）円形、四角形、又は角度があってもよい。保持具又は仕切りの色は、使用される物質にふさわしく、又は製造工程に役立つどのような色でもよい。保持具セグメントは共に密閉されていても、空気の流れを可能にするよう開放されていてもよい。保持具セグメントは、穴が開いていても、充分に切り開かれていてもよい。保持具セグメントの長さは試験片のかみ合いをより可能にするよう重なり合ってもよい。
【００３３】
本開示の構成を具体的な用語を用いて説明してきたが、そのような説明は例示を目的としており、当業者に自明の変形及び変更が後に続く請求項及びその均等物の範囲内と考えられることを理解されるべきである。本明細書に記載された全ての特許、特許出願、特許出願公開、及び他の刊行物はその全体を参照により本明細書に援用される。
【００３４】
本発明概念を現在最も実用的かつ好適な構成と考えられるものに関連して説明してきた。しかしながら、発明概念を実例として示してきており、開示された構成に限定することを意図していない。したがって、当業者は、発明概念が添付の請求項に規定の発明概念の精神と範囲内の全ての変形及び代替配置を包含することを意図していると理解するであろう。
【００３５】
番号付き構成
上記に追加又はその代案として、以下の構成を記載する。
【００３６】
１．筐体と、筐体に結合した蓋と、筐体に入れられたかごを備え、かごが内部空間を定める側壁と、内部空間の少なくとも一部に延びかご内で左右方向及び前後方向の少なくとも１つに少なくとも１つのテスト素子を支持するように構成された保持具を含む、再封止可能容器。
【００３７】
２．保持具が複数の指状物を含む、実施例１に記載の再封止可能容器。
【００３８】
３．指状物が分割線に延びる、実施例２に記載の再封止可能容器。
【００３９】
４．指状物が実質的に内部空間全体を覆う、実施例２又は３に記載の再封止可能容器。
【００４０】
５．保持具が単一のピースとして形成され、指状物が単一のピースから切り出された、実施例２から４の何れか１つに記載の再封止可能容器。
【００４１】
６．個々の指状物がテスト素子により屈折するように構成された、実施例２から５の何れか１つに記載の再封止可能容器。
【００４２】
７．保持具が複数のセグメントに切り込まれたワイパーを含む、実施例１から６の何れか１つに記載の再封止可能容器。
【００４３】
８．各セグメントが複数のテスト素子を支持するように構成された、実施例７に記載の再封止可能容器。
【００４４】
９．各セグメントがテスト素子により屈折するように構成された、実施例７又は８に記載の再封止可能容器。
【００４５】
１０．未使用のセグメントが、隣接したセグメントにより支持されたテスト素子に前後の支持を与えるように構成された、実施例７から９の何れか１つに記載の再封止可能容器。
【００４６】
１１．保持具が少なくとも４つのセグメントを含む、実施例７から１０の何れか１つに記載の再封止可能容器。
【００４７】
１２．ワイパーがテスト素子に空気の流れを与えるように構成された、実施例７から１１の何れか１つに記載の再封止可能容器。
【００４８】
１３．保持具が環状部材を含む、実施例１から１２の何れか１つに記載の再封止可能容器。
【００４９】
１４．保持具が実質的に逆Ｕ字型の断面形状を定める、実施例１から１３の何れか１つに記載の再封止可能容器。
【００５０】
１５．保持具が、テスト素子に前後の支持を与えるように構成された端部ばねを含む、実施例１から１４の何れか１つに記載の再封止可能容器。
【００５１】
１６．端部ばねがリビングばねである、実施例１５に記載の再封止可能容器。
【００５２】
１７．保持具が単一のピースから形成され、端部ばねが単一のピースから切り出された、実施例１５又は１６に記載の再封止可能容器。
【００５３】
１８．保持具がかごに付着した、実施例１から１７の何れか１つに記載の再封止可能容器。
【００５４】
１９．保持具がかごに圧入された、実施例１から１８の何れか１つに記載の再封止可能容器。
【００５５】
２０．保持具が軟質プラスチック、軟質剛毛、軟質ゴム、及び薄い金属の少なくとも１つから構成される、実施例１から１９の何れか１つに記載の再封止可能容器。
【００５６】
２１．再封止可能容器に用いるかごであって、かごが内部空間を定める側壁と、少なくとも１つのセグメントを含む保持具を備え、セグメントは第１の位置と第２の位置の間で屈折可能であり、第１の位置の時にセグメントはテスト素子に左右の支持を与えるように構成され、第２の位置の時にセグメントはテスト素子に前後の支持を与えるように構成される、かご。
【００５７】
２２．本明細書で実質的に説明及び示されたような再封止可能容器。
【００５８】
２３．本明細書で実質的に説明及び示されたような再封止可能容器に用いるかご。
【図１】
2019507060.tif 000004
【図２】
2019507060.tif 000005
【図３】
2019507060.tif 000006
【図４】
2019507060.tif 000007
【図５】
2019507060.tif 000008
【図６】
2019507060.tif 000009
【図７】
2019507060.tif 000010
【図８】
2019507060.tif 000011
【図９】
2019507060.tif 000012
【図１０】
2019507060.tif 000013
【図１１】
2019507060.tif 000014
【図１２】
2019507060.tif 000015
【図１３】
2019507060.tif 000016
【図１４】
2019507060.tif 000017
【図１５】
2019507060.tif 000018
【図１６】
2019507060.tif 000019
【図１７】
2019507060.tif 000020
【国際調査報告】
2019507060.tif 000021